(57)【要約】【課題】セルロース系繊維を含む布を白色化し増白するための組成物および方法を提供する。【解決手段】布、特に未漂白セルロース系繊維を含む布用の白色化組成物。前記組成物は、青色染料と、紫色染料と、任意選択で増粘剤とを含み、前記組成物は漂白剤および蛍光増白剤を含まない。白色化組成物を用いる布の漂白方法も開示される。【特許請求の範囲】
【請求項１】
青色染料と、
紫色染料と、
任意選択で増粘剤と、
を含み、漂白剤および蛍光増白剤を含まない、セルロース含有布用の白色化組成物。
【請求項２】
水をさらに含む、請求項１に記載の白色化組成物。
【請求項３】
前記青色染料と前記紫色染料との比が１：１である、請求項１に記載の白色化組成物。
【請求項４】
前記青色染料と前記紫色染料との比が２：１である、請求項１に記載の白色化組成物。
【請求項５】
前記青色染料が、ダイレクトブルー１、ダイレクトブルー７１、ダイレクトブルー８０、ダイレクトブルー２７９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、アシッドブルー１１３、ベーシックブルー３、ベーシックブルー１６、ベーシックブルー２２、ベーシックブルー４７、ベーシックブルー６６、ベーシックブルー７５、ベーシックブルー１５９、リアクティブブルー１７、リアクティブブルー１９、シアンブルーＷＷ‐ＧＳおよびそれらの組み合わせからなる群から選択される、請求項１〜４のいずれか１項に記載の白色化組成物。
【請求項６】
前記青色染料がリアクティブブルー１９である、請求項１〜５のいずれか１項に記載の白色化組成物。
【請求項７】
前記紫色染料が、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット４８、ダイレクトバイオレット５１、ダイレクトバイオレット６６、ダイレクトバイオレット９９、アシッドバイオレット９、アシッドバイオレット１５、アシッドバイオレット１７、アシッドバイオレット２４、アシッドバイオレット４３、アシッドバイオレット４９、アシッドバイオレット５０、ベーシックバイオレット１、ベーシックバイオレット３、ベーシックバイオレット４、ベーシックバイオレット１０、ベーシックバイオレット３５およびそれらの組み合わせからなる群から選択される、請求項１〜６のいずれか１項に記載の白色化組成物。
【請求項８】
前記紫色染料がダイレクトバイオレット９である、請求項１〜７のいずれか１項に記載の白色化組成物。
【請求項９】
デンプン系材料、ポリアクリレート、アルギン酸ナトリウムおよびそれらの組み合わせからなる群から選択される前記増粘剤を含む、請求項１〜８のいずれか１項に記載の白色化組成物。
【請求項１０】
前記青色染料が前記白色化組成物の全重量に対して０．００１０重量％〜０．１０００重量％の量で存在し、
前記紫色染料が前記白色化組成物の全重量に対して０．０００５重量％〜０．０５００重量％の量で存在し、
前記増粘剤が前記白色化組成物の全重量に対して０重量％〜２．５重量％の量で存在する、請求項１に記載の白色化組成物。
【請求項１１】
セルロース系繊維を含む布を提供するステップと、
前記布に、青色染料と紫色染料とを含む白色化組成物を塗布するステップと、を含む、布を白色化する方法であって、
前記方法が漂白ステップを含まず、前記組成物が漂白剤および蛍光増白剤を含まない、方法。
【請求項１２】
前記セルロース系繊維が、
（ａ）綿、
（ｂ）麻、
（ｃ）アマ、
（ｄ）ラミー、
（ｅ）レーヨン、および
（ｆ）竹、
の少なくとも１つを含む、請求項１１に記載の方法。
【請求項１３】
前記布が合成繊維をさらに含む、請求項１１〜１２のいずれか１項に記載の方法。
【請求項１４】
前記布が未漂白綿繊維からなる、請求項１１〜１２のいずれか１項に記載の方法。
【請求項１５】
前記組成物が、染浴、吹付、浸漬、浸け置き、および絵付、の少なくとも１つによって前記布に塗布される、請求項１１〜１３のいずれか１項に記載の方法。
【請求項１６】
前記組成物が、前記青色染料と前記紫色染料との１：１の比を含む、請求項１１〜１４のいずれか１項に記載の方法。
【請求項１７】
前記組成物が、前記青色染料と前記紫色染料との２：１の比を含む、請求項１１〜１５のいずれか１項に記載の方法。
【請求項１８】
前記青色染料が、ダイレクトブルー１、ダイレクトブルー７１、ダイレクトブルー８０、ダイレクトブルー２７９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、アシッドブルー１１３、ベーシックブルー３、ベーシックブルー１６、ベーシックブルー２２、ベーシックブルー４７、ベーシックブルー６６、ベーシックブルー７５、ベーシックブルー１５９、リアクティブブルー１７、リアクティブブルー１９、シアンブルーＷＷ‐ＧＳおよびそれらの組み合わせからなる群から選択される、請求項１１〜１６のいずれか１項に記載の方法。
【請求項１９】
前記青色染料がリアクティブブルー１９である、請求項１１〜１７のいずれか１項に記載の方法。
【請求項２０】
前記紫色染料が、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット４８、ダイレクトバイオレット５１、ダイレクトバイオレット６６、ダイレクトバイオレット９９、アシッドバイオレット９、アシッドバイオレット１５、アシッドバイオレット１７、アシッドバイオレット２４、アシッドバイオレット４３、アシッドバイオレット４９、アシッドバイオレット５０、ベーシックバイオレット１、ベーシックバイオレット３、ベーシックバイオレット４、ベーシックバイオレット１０、ベーシックバイオレット３５およびそれらの組み合わせからなる群から選択される、請求項１１〜１８のいずれか１項に記載の方法。
【請求項２１】
前記紫色染料がダイレクトバイオレット９である、請求項１１〜１９のいずれか１項に記載の方法。
【発明の詳細な説明】
【技術分野】
【０００１】
本願は、布、特にセルロース含有布用の白色化組成物に関する。特に、本願は、漂白剤で処理する必要のない綿を含む布用の白色化組成物に関する。
【背景技術】
【０００２】
洗浄剤組成物中に蛍光増白剤および青味剤を使用することによって、白い布の、知覚される目視白色度が改善されることは公知である。典型的な青味剤は、真の青色を呈する５８０〜６２０ｎｍの吸収波長を有する。
【０００３】
蛍光増白剤（蛍光染料とも呼ばれる）は、不可視の紫外線を吸収し、可視スペクトルの青色域の光を発する。平均的な人は、やや青味がかった色に見える、洗浄された布のような白色のものを好むように思われる。ゆえに、従来、布を白くするために、洗濯用洗浄剤中に蛍光増白剤が用いられている。しかしながら、洗浄剤製品中に青味剤を用いる場合に生じる問題の１つは、あまりに多くの量を用いると白い布が青く見え、不十分な量を用いると白い布を視覚的により白く見せるためには効果がないということである。
【０００４】
特許文献１は、染料の混合物を含む洗濯用製品を記載しており、その染料のうちの１つはＤｙｅ  Ｋと呼ばれ、これは、ガイギー社（Ｇｅｉｇｙ  Ｃｏｒｐ．）によってＣ．Ｉ．Ｄｉｒｅｃｔ  Ｖｉｏｌｅｔ  ６６という商品名で販売されている染料に相当する。この洗浄剤組成物中のこのような染料の割合は、０．０００１〜０．００４パーセントとされている。
【０００５】
コルゲート・パーモリーブ社（Ｃｏｌｇａｔｅ‐Ｐａｌｍｏｌｉｖｅ  Ｃｏｍｐａｎｙ）への特許文献２は、（ａ）アニオン性界面活性剤および非イオン性界面活性剤からなる群から選択される界面活性剤または界面活性剤混合物と、（ｂ）５４０〜５６０ｎｍの吸収波長を有する紫色高分子色素（水溶性は約１グラム／リットル〜２０．５グラム／リットルであり、洗濯用洗浄剤組成物中の前記紫色色素の量は約０．００６％〜約１．７５％である）とを含む、洗濯用洗浄剤組成物および洗浄された洗濯物に白色化の利点を提供する方法を開示している。
【０００６】
特許文献３は、染料組成物および、歯を白くする方法に関する。青色および紫色の染料のブレンドを含む口腔用組成物が開示されている。特定の実施形態において、約１：１００〜約１０：１の範囲、より好ましくは約１：２０〜約２：１の範囲、最も好ましくは約１：１０〜約１：２の範囲の青色染料と紫色染料との比が開示されている。これらの範囲は、ウイルトン・エンタープライジズ社（Ｗｉｌｔｏｎ  Ｅｎｔｅｒｐｒｉｓｅｓ）から入手される、紫色および青色の特定の色調を有する食用色素の使用に基づいていた。添加される紫色染料の例示的な濃度は、体積比で約０．４％または０．５％であった。紫色染料と青色染料との５：１〜７：１の比を有する紫色染料と青色染料との混合物が、その混合物が１０重量％の濃度である組成物によって、綿棒をアプリケーターとして用いて人の歯に直接に塗布された。
【０００７】
洗浄剤組成物または歯科用組成物の成分として様々な青色および紫色染料が従来技術に開示されているが、洗濯されていない布（特に、漂白を施されたことがない布）に提供されることが可能な、白色化の利点を改善し高める必要性が、該技術分野には依然として存在する。
【０００８】
未漂白綿は、より自然で環境にやさしい布を求める消費者にますます用いられ望まれている布である。未漂白綿は、油を吸い取る自然のペクチンおよびワックスを含む。さらに、未漂白綿は、少量の界面活性剤の存在下で高吸収性である。未漂白綿は、毎年再生可能であり、生分解性であり、堆肥化可能であり、再利用可能である。未漂白綿は、柔軟で、快適で、自然で、低アレルギー性である。このように、未漂白綿は、限定するものではないが、化粧拭き、お尻拭き、おむつ、婦人用衛生用品および失禁用品を含む、多くの種類の消費者用途に望ましい。
【０００９】
さらに、綿に関しては、繊維は短く、「痛む」ため、漂白は避けることが好ましい。漂白は、綿繊維に天然に含まれるリガンドを損傷する。天然の綿の黄褐色の大部分はリガンド、天然ワックスおよび油によるものであり、これらは、従来の方法（塩素化漂白、過酸化漂白、オゾン漂白、アルカリ煮沸、硫酸水素塩または重硫酸塩を含む）による漂白によって除去される。繊維がより耐久性であり、無傷であり、梳き櫛を壊すことなく梳綿装置などの装置に繊維のストランドが通過するのを容易にするので、これらの天然のオイルおよびワックスは、疎水性と、非常に優れた処理能力とを可能にする。
【００１０】
セルロース系繊維を含む布を、ブリーチ剤または蛍光増白剤を用いずに白色化し増白するための組成物および方法を得ることが望まれている。
【００１１】
未漂白の綿および綿を含む布を白色化し増白するための組成物および方法を得ることが望まれている。
【００１２】
環境にやさしいお尻拭き、おむつ、婦人用衛生用品および失禁用品を白色化し増白するための組成物および方法を得ることが望まれている。
【先行技術文献】
【特許文献】
【００１３】
【特許文献１】米国特許第３７５５２０１号
【特許文献２】国際公開第２００５／０６８５９６号
【特許文献３】米国特許第６０３０２２２号
【発明の概要】
【００１４】
本発明によれば、（ａ）紫色染料と（ｂ）青色染料とを含み、好ましくは漂白剤および蛍光増白剤を含まない、布に白色化の利点を提供するための組成物が提供される。この組成物を利用する場合、布は、過酷な漂白を受ける必要がない。本発明のプロセスによれば、布の白色化は、その布に本組成物の水溶液を塗布することによって達成される。
【００１５】
本発明の組成物は、布をより白く見せるために、布のもともとの色を隠すかまたは変えるために、色の相殺（ｃｏｌｏｒ  ｃａｎｃｅｌｌａｔｉｏｎ）の概念を利用する。たとえばテレビおよびコンピュータスクリーンは、３つの発光原色（シアンブルー、マゼンタおよびイエローグリーン）のうちただ１つを各ピクセルが発光する、ピクセルのマトリックスを利用する。種々の強度の３つの原色を発光することによって、あらゆる色の色調を生み出すことができ、すべての発光光の波長の組み合わせである白色さえも生み出すことができる。本発明の組成物は、布がもともとはより黄色がかった色合いの反射光を生じる場合でも、その布がより白い光を反射するように、この同じ原理（すなわち、混ざりあってより白い光になる複数の色の発光）を利用する。
【００１６】
すべてではないとしても、大部分のオフホワイトおよび黄色がかった色合いの布と混ざりあってより白い見た目を生み出すことができる補色は、紫色〜ブルーバイオレットの範囲内にあるであろう。一般的に、紫色〜ブルーバイオレットの範囲内のいずれかの染料の形態で、未漂白布に補色を加えることができる。
【００１７】
本発明の一実施形態は、青色染料と、紫色染料と、任意選択で増粘剤とを含み、漂白剤および蛍光増白剤を含まない、セルロース含有布用の白色化組成物に関する。組成物の一実施形態において、青色染料と紫色染料との比は１：１である。組成物の他の実施形態において、青色染料と紫色染料との比は２：１である。組成物の他の実施形態において、青色染料と紫色染料との比は３：１である。
【００１８】
一実施形態において、青色染料は、ダイレクトブルー１、ダイレクトブルー７１、ダイレクトブルー８０、ダイレクトブルー２７９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、アシッドブルー１１３（Ｅｒｉｏｎｙｌ  Ｎａｖｙ  Ｒとしても公知であり、市販されている）、ベーシックブルー３、ベーシックブルー１６、ベーシックブルー２２、ベーシックブルー４７、ベーシックブルー６６、ベーシックブルー７５、ベーシックブルー１５９、リアクティブブルー１７、リアクティブブルー１９（レマゾールブリリアントブルーＲ、ＣＩリアクティブブルー１９、レマゾールＢｒブルーＢＷ、レマゾールネイビーブルー、レマゾールネイビーブルーＲＢＧおよび／またはレマゾールＢｒブルーＢＢと呼んでもよい）、シアンブルーＷＷ‐ＧＳ（Ｔｅｒａｓｉｌ（登録商標）ブルーＴＣとしても公知であり、入手可能である）、エリオニルネイビーＲおよびそれらの組み合わせからなる群から選択される。組成物の一実施形態において、青色染料はリアクティブブルー１９である。
【００１９】
白色化組成物の一実施形態において、紫色染料は、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット４８、ダイレクトバイオレット５１、ダイレクトバイオレット６６、ダイレクトバイオレット９９、アシッドバイオレット９、アシッドバイオレット１５、アシッドバイオレット１７、アシッドバイオレット２４、アシッドバイオレット４３、アシッドバイオレット４９、アシッドバイオレット５０、ベーシックバイオレット１、ベーシックバイオレット３、ベーシックバイオレット４、ベーシックバイオレット１０、ベーシックバイオレット３５およびそれらの組み合わせからなる群から選択される。一実施形態において、紫色染料はダイレクトバイオレット９である。
【００２０】
本発明の一実施形態において、組成物は、デンプン系材料、ポリアクリレート、アルギン酸ナトリウムおよびそれらの組み合わせからなる群から選択される増粘剤を含む。組成物の特定の実施形態において、増粘剤はポリアクリレートである。
【００２１】
本発明の一実施形態による白色化組成物は、白色化組成物の全重量に対して０．００１０〜０．１０００重量％、好ましくは０．００１３〜０．０７１０重量％の量で存在する青色染料と、白色化組成物の全重量に対して０．０００５〜０．０５００重量％、好ましくは０．０００９〜０．０３９重量％の量の紫色染料と、白色化組成物の全重量に対して０〜５重量％、好ましくは０〜２．５重量％の量の増粘剤と、を含む。
【００２２】
本発明の他の実施形態は、青色染料と紫色染料とからなる、未漂白セルロース含有布用の白色化組成物に関する。この組成物の特定の実施形態において、青色染料は、白色化組成物の全重量に対して０．００９重量％の量で存在し、紫色染料は、白色化組成物の全重量に対して０．００４５重量％の量で存在する。一実施形態において、青色染料と紫色染料との２：１の比を有する白色化組成物。他の実施形態において、青色染料と紫色染料との３：１の比を有する白色化組成物。
【００２３】
白色化組成物は、固形でもよく、液体形態、すなわち溶液形態でもよいことが企図される。一実施形態において、白色化組成物は水溶液である。一実施形態において、本発明は、水と、青色染料と、紫色染料とを含む白色化組成物に関する。
【００２４】
本発明の他の実施形態は、布を白色化するための方法に関する。一実施形態において、方法は、布を提供するステップと、その布に、青色染料と紫色染料とを含む白色化組成物を塗布するステップと、を含む。一実施形態において、布は、セルロース系繊維を含む。一実施形態において、方法は漂白ステップを含まず、白色化組成物は漂白剤および蛍光増白剤を含まない。本明細書に開示された方法の特定の実施形態において、方法は、水と、青色染料と、紫色染料とを含む、水溶液での白色化組成物を含み、この白色化組成物は、浸漬によって布に塗布される。
【００２５】
方法の一実施形態において、セルロース系繊維は、（ａ）綿、（ｂ）麻、（ｃ）アマ、（ｄ）ラミー、（ｅ）レーヨン、および（ｆ）竹、の少なくとも１つを含む。方法の一実施形態において、セルロース系繊維は未漂白である。方法の一実施形態において、布は、合成繊維をさらに含む。たとえば合成繊維は、ポリエステル、ポリアミド、ポリエチレン、ポリプロピレン、ポリ乳酸、およびポリブチレートアジペートテレフタレート、の少なくとも１つである。方法の特定の一実施形態において、布は、未漂白綿からなる。
【００２６】
本発明の一実施形態において、白色化組成物は、染浴、吹付、浸漬、浸け置き、および絵付、の少なくとも１つによって布に塗布される。
【００２７】
方法の一実施形態において、組成物は、青色染料と紫色染料との１：１の比を含む。特定の実施形態において、青色染料と紫色染料との比は２：１である。本明細書に記載の方法において、青色染料は、ダイレクトブルー１、ダイレクトブルー７１、ダイレクトブルー８０、ダイレクトブルー２７９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、アシッドブルー１１３（Ｅｒｉｏｎｙｌ  Ｎａｖｙ  Ｒとしても公知であり、市販されている）、ベーシックブルー３、ベーシックブルー１６、ベーシックブルー２２、ベーシックブルー４７、ベーシックブルー６６、ベーシックブルー７５、ベーシックブルー１５９、リアクティブブルー１７、リアクティブブルー１９（レマゾールブリリアントブルーＲ、ＣＩリアクティブブルー１９、レマゾールＢｒブルーＢＷ、レマゾールネイビーブルー、レマゾールネイビーブルーＲＢＧおよび／またはレマゾールＢｒブルーＢＢと呼んでもよい）、シアンブルーＷＷ‐ＧＳ（Ｔｅｒａｓｉｌ（登録商標）ブルーＴＣとしても公知であり、入手可能である）およびそれらの組み合わせからなる群から選択される。方法の特定の実施形態において、青色染料はリアクティブブルー１９である。本明細書に記載の方法において、紫色染料は、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット４８、ダイレクトバイオレット５１、ダイレクトバイオレット６６、ダイレクトバイオレット９９、アシッドバイオレット９、アシッドバイオレット１５、アシッドバイオレット１７、アシッドバイオレット２４、アシッドバイオレット４３、アシッドバイオレット４９、アシッドバイオレット５０、ベーシックバイオレット１、ベーシックバイオレット３、ベーシックバイオレット４、ベーシックバイオレット１０、ベーシックバイオレット３５およびそれらの組み合わせからなる群から選択される。方法の特定の実施形態において、紫色染料はダイレクトバイオレット９である。
【００２８】
これらおよびその他の実施形態は、添付の詳細な説明および特許請求の範囲に詳細に説明されている。
【発明を実施するための形態】
【００２９】
以下は、本発明の特定の実施形態または特定の使用の説明であるという限りにおいて説明のみを目的としており、特許請求された発明を限定するものではない。以下の説明は、添付の特許請求の範囲で定義されている本発明の主旨と範囲とに含まれる代替物、改変および等価物を含むものとする。
【００３０】
本発明は、布用の白色化組成物に関する。本書で使用される場合、「白色化」という用語は、布の目視白色度を改善することを意味する。一般的に、白色化組成物は、視覚的に白色、淡黄色、ベージュ、グレージュ、グレー、黄褐色、淡いピンクなどに見える布に用いられる。
【００３１】
一実施形態において、白色化組成物は、青色染料と、紫色染料とを含む。白色化組成物は、任意の形態、すなわち固体または溶液、たとえば水溶液であることができる。よって、いくつかの実施形態において、白色化組成物はさらに水を含む。
【００３２】
任意選択で、白色化組成物は増粘剤を含む。特定の実施形態において、白色化組成物は漂白剤および蛍光増白剤を含まない。漂白剤は、酸素系漂白剤（過酸化系漂白剤とも呼ばれる）、塩素系漂白剤および亜ジチオン酸ナトリウムを含む。蛍光増白剤は、限定するものではないが、スチルベン、たとえば４，４’‐ジアミノ‐２，２’‐スチルベンスルホン酸を含む。本発明の一実施形態において、皮膚へのアレルギー反応および／または過敏反応、有害な環境影響、ならびに白色化組成物を製造するためのコストの削減に関連する懸念に対処するために、漂白剤および蛍光増白剤の不使用が望まれる。
【００３３】
白色化組成物は、任意の量の青色染料と、任意の量の紫色染料とを含むことができると想定される。一実施形態において、白色化組成物中に存在する青色染料の量は、白色化組成物の全重量に対して約５重量％〜約９５重量％である。他の実施形態において、白色化組成物中に存在する青色染料の量は、白色化組成物の全重量に対して約１０重量％〜約８０重量％である。他の実施形態において、白色化組成物中に存在する青色染料の量は、白色化組成物の全重量に対して約１５重量％〜約８０重量％である。他の実施形態において、白色化組成物中に存在する青色染料の量は、白色化組成物の全重量に対して約２５重量％〜約７５重量％である。他の実施形態において、白色化組成物中に存在する青色染料の量は、白色化組成物の全重量に対して約３０重量％〜約６０重量％である。一実施形態において、白色化組成物中に存在する青色染料の量は、白色化組成物の全重量に対して５０重量％である。青色染料は、白色化組成物の全重量に対して白色化組成物中に０．００１０重量％〜２０重量％の量で存在することがさらに企図される。青色染料は、白色化組成物の全重量に対して白色化組成物中に０．００１０重量％〜１５％の量で存在することがさらに企図される。青色染料は、白色化組成物の全重量に対して白色化組成物中に０．００１０重量％〜５重量％の量で存在することは他の実施形態である。青色染料は、白色化組成物の全重量に対して白色化組成物中に０．００１０重量％〜１重量％の量で存在することは他の実施形態である。さらに他の実施形態において、青色染料は、白色化組成物の全重量に対して白色化組成物中に０．００１３重量％〜１重量％の量で存在する。他の実施形態において、青色染料は、白色化組成物の全重量に対して白色化組成物中に０．００１３重量％〜０．０７１重量％の量で存在する。一実施形態において、青色染料は、０．００９重量％の量で存在する。規定された範囲は、記載された範囲内のありとあらゆる値および／または値の範囲を含むことが企図される。
【００３４】
一実施形態において、白色化組成物中に存在する紫色染料の量は白色化組成物の全重量に対して約５重量％〜約９５重量％である。他の実施形態において、白色化組成物中に存在する紫色染料の量は白色化組成物の全重量に対して約１０重量％〜約８０重量％である。他の実施形態において、白色化組成物中に存在する紫色染料の量は白色化組成物の全重量に対して約１５重量％〜約８０重量％である。他の実施形態において、白色化組成物中に存在する紫色染料の量は白色化組成物の全重量に対して約２５重量％〜約７５重量％である。他の実施形態において、白色化組成物中に存在する紫色染料の量は白色化組成物の全重量に対して約３０重量％〜約６０重量％である。一実施形態において、白色化組成物中に存在する紫色染料の量は白色化組成物の全重量に対して５０重量％である。紫色染料は、白色化組成物の全重量に対して白色化組成物中に０．００５重量％〜２０重量％の量で存在することがさらに企図される。紫色染料は、白色化組成物の全重量に対して白色化組成物中に０．０００５重量％〜１５重量％の量で存在することがさらに企図される。紫色染料が、白色化組成物の全重量に対して白色化組成物中に０．０００５重量％〜５重量％の量で存在することは他の実施形態である。紫色染料は、白色化組成物の全重量に対して白色化組成物中に０．０００５重量％〜１重量％の量で存在することは他の実施形態である。さらに他の実施形態において、紫色染料は、白色化組成物の全重量に対して白色化組成物中に０．０００９重量％〜１重量％の量で存在する。他の実施形態において、紫色染料は、白色化組成物の全重量に対して白色化組成物中に０．０００９重量％〜０．０３９重量％の量で存在する。一実施形態において、紫色染料は、白色化組成物の全重量に対して白色化組成物中に０．００４５重量％の量で存在する。規定された範囲は、記載された範囲内のありとあらゆる値および／または値の範囲を含むことが企図される。
【００３５】
一実施形態において、白色化組成物は、１：１の比の青色染料と紫色染料とを含む。他の実施形態において、白色化組成物は、２：１の比の青色染料と紫色染料とを含む。他の実施形態において、白色化組成物は、３：１の比の青色染料と紫色染料とを含む。組成物（固体または溶液での）における染料の他の比も、洗濯された布に所望の程度の白色度を付与するのに十分であろうことが想定されるため、本発明において他の比が企図されかつ含まれる。
【００３６】
白色化組成物中に、布の染色（着色）に使用するのに十分な任意の青色染料を使用することができることが企図される。青色染料は、以下の市販の青色染料：ダイレクトブルー１、ダイレクトブルー７１、ダイレクトブルー８０、ダイレクトブルー２７９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０、アシッドブルー１１３（Ｅｒｉｏｎｙｌ  Ｎａｖｙ  Ｒとしても公知であり、市販されている）、ベーシックブルー３、ベーシックブルー１６、ベーシックブルー２２、ベーシックブルー４７、ベーシックブルー６６、ベーシックブルー７５、ベーシックブルー１５９、リアクティブブルー１７、リアクティブブルー１９（レマゾールブリリアントブルーＲ、ＣＩリアクティブブルー１９、レマゾールＢｒブルーＢＷ、レマゾールネイビーブルー、レマゾールネイビーブルーＲＢＧおよび／またはレマゾールＢｒブルーＢＢと呼んでもよい）およびシアンブルーＷＷ‐ＧＳ（Ｔｅｒａｓｉｌ（登録商標）ブルーＴＣとしても公知であり、入手可能である）、エリオニルネイビーＲ、のうちの１つ以上である。白色化組成物の特定の実施形態において、青色染料はリアクティブブルー１９である。
【００３７】
白色化組成物中に、布の染色に使用するのに十分な任意の紫色染料を使用することができることが企図される。白色化組成物中に使用される紫色染料は、以下の市販の紫色染料：ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット４８、ダイレクトバイオレット５１、ダイレクトバイオレット６６、ダイレクトバイオレット９９、アシッドバイオレット９、アシッドバイオレット１５、アシッドバイオレット１７、アシッドバイオレット２４、アシッドバイオレット４３、アシッドバイオレット４９、アシッドバイオレット５０、ベーシックバイオレット１、ベーシックバイオレット３、ベーシックバイオレット４、ベーシックバイオレット１０、ベーシックバイオレット３５、のうちの１つ以上である。白色化組成物の特定の実施形態において、紫色染料はダイレクトバイオレット９である。
【００３８】
一実施形態において、白色化組成物は任意選択で増粘剤を含む。布の染色に使用するのに適した任意の種類の増粘剤を白色化組成物に用いることができることが企図される。増粘剤の例は、限定するものではないが、任意のデンプン系材料、エチレングリコール、ポリアクリレート、アルギン酸ナトリウム、および前述のいずれかの組み合わせを含む。白色化組成物の特定の実施形態において、増粘剤はポリアクリレートである。
【００３９】
一実施形態において、白色化組成物は、白色化組成物の全重量に対して０重量％〜２０重量％の増粘剤を含む。他の実施形態において、白色化組成物は、白色化組成物の全重量に対して１重量％〜２０重量％の増粘剤を含む。さらに他の実施形態において、白色化組成物は、白色化組成物の全重量に対して１重量％〜１０重量％の増粘剤を含む。さらに他の実施形態において、白色化組成物は、０．０重量％〜２．５重量％の増粘剤を含む。規定された範囲は、記載された範囲内のありとあらゆる値および／または値の範囲を含むことが企図される。
【００４０】
特に好ましい実施形態において、白色化組成物は、青色染料および紫色染料のみを含む。他の特に好ましい実施形態において、白色化組成物は、リアクティブブルー１９およびダイレクトバイオレット９のみを含む。よりさらに特に好ましい実施形態において、白色化組成物は、２：１の比のリアクティブブルー１９およびダイレクトバイオレット９のみを含む。
【００４１】
上記のように、一実施形態において、白色化組成物は固形形態、たとえば粉末形態であることが企図される。他の実施形態において、白色化組成物は溶液であることがさらに企図される。特定の一実施形態において、白色化組成物は、それによって水溶液を構成する水をさらに含む。白色化組成物が水溶液である場合、所望量の所望の染料を一定量の水に直接に加えること、または、水と一定量の青色染料とを含む第１原水溶液を調製して水と一定量の紫色染料とを含む第２原水溶液を調製すること、のいずれかによって製造される。
【００４２】
特に好ましい実施形態において、白色化組成物は、水、青色染料および紫色染料のみを含む水溶液である。他の特に好ましい実施形態において、白色化組成物は、水、リアクティブブルー１９およびダイレクトバイオレット９のみを含む水溶液である。よりさらに特に好ましい実施形態において、白色化組成物は、水、２：１の比のリアクティブブルー１９およびダイレクトバイオレット９のみを含む水溶液である。よりさらに特に好ましい実施形態において、白色化組成物は、水、３：１の比のリアクティブブルー１９およびダイレクトバイオレット９のみを含む水溶液である。
【００４３】
任意の種類の布を白色化するために、本明細書に開示された白色化組成物を用いることができることが企図される。本書で使用される場合、「布」という用語は、不織繊維製の布、織り繊維製の布および繊維製の紡績糸を含む。布は、漂白されていても、もしくは未漂白であってもよく、または、布は、漂白繊維、未漂白繊維、もしくは漂白繊維と未漂白繊維との組み合わせで製造されてもよい。
【００４４】
布は、衣類・衣服（たとえばセーター、シャツ、ズボン、ドレス、スカート）、装飾用および住宅用テキスタイル（たとえばラグ、スロー、シート、カーテン、枕、掛け布団）ならびにパーソナルケア品（たとえばおむつ、化粧拭き、お尻拭き、婦人用衛生用品、失禁用品）に用いることができることが企図される。布は、使用者が望む任意の用途に用いることができるため、本発明はこの点に限定されない。
【００４５】
一実施形態において、布は、天然繊維、合成繊維、または天然繊維と合成繊維との組み合わせを含む。２種類以上の繊維を含む布（「ブレンド」）は、様々な繊維の任意のレベルまたは量を含むことが企図される。
【００４６】
例示的な天然繊維は、限定するものではないが、植物性繊維および動物性繊維の両方を含む。動物性繊維は、たとえば羊毛、絹、モヘアおよびカシミヤを含む。植物性繊維は、「セルロース系材料」または「セルロース系繊維」と呼ばれ、たとえば綿、麻、アマ、ラミー、ジュート、レーヨン、木材パルプ（たとえばレンチングファイバーズ社（Ｌｅｎｚｉｎｇ  Ｆｉｂｅｒｓ，Ｉｎｃ．）から入手できるＴｅｎｃｅｌ（登録商標）繊維）および竹を含む。
【００４７】
合成繊維は、天然に存在しない任意の繊維を含む。例示的な合成繊維は、モダール（半合成繊維）、熱可塑性ポリマー（たとえばポリプロピレン、ナイロン、合成ポリエステル）、エラスタン（スパンデックスおよびＬｙｃｒａ（登録商標）繊維（インビスタ社（Ｉｎｖｉｓｔａ）の商標）としても知られる）などを含む。一実施形態において、布は、１以上のポリエステル、ポリアミド、ポリエチレン、ポリプロピレン、ポリ乳酸およびポリブチレートアジペートテレフタレート繊維を含む。
【００４８】
特定の実施形態において、布は、ポリエステル繊維およびそのブレンドを含む。他の実施形態において、布は、ナイロンおよびそのブレンドを含む。特定の実施形態において、布は、セルロース系繊維を含む。他の特定の布は、１００重量％の絹である。他の特に好ましい布は、綿および／または絹とゴムとのブレンドである。特定の実施形態において、布は、抗微生物特性、抗菌特性、抗真菌特性、帯電防止特性およびイオン特性を有する。特定の実施形態において、布は、柔軟で望ましい手触りを有する。
【００４９】
例示的な実施形態において、布は、セルロース含有布である。用語「セルロース含有布」は、布がセルロース系繊維のみを含むか、またはセルロース系繊維と非セルロース系繊維とのブレンドを含むことを意味する。セルロース含有布は、不織布、織布または紡績糸であってもよい。上記のように、セルロース系繊維は、たとえば綿、麻、アマ、ラミー、レーヨン、ジュート、木材パルプおよび竹を含む、任意のセルロース含有繊維を含む。セルロース系繊維は、漂白されていても、または未漂白であってもよい。特定の実施形態において、セルロース系繊維は未漂白である。特定の実施形態において、セルロース系繊維は未漂白綿である。
【００５０】
一実施形態において、セルロース含有布は、セルロース系繊維のみを含む。他の実施形態において、セルロース含有布はセルロース系繊維および非セルロース系繊維を含み、非セルロース系繊維は動物性繊維および／または合成繊維である。
【００５１】
本開示による白色化組成物の塗布後に視覚的に白色化されるセルロース含有布にはいくつかの種類がある。特定のセルロース含有布は、限定するものではないが、布の全重量に対して１００重量％の綿繊維（綿は漂白繊維、未漂白繊維、または漂白繊維と未漂白繊維との組み合わせである）である布を含む。一実施形態において、セルロース含有繊維は、布の全重量に対して１００％未漂白の綿繊維である。
【００５２】
特に好ましい布は、布の全重量に対して１００重量％の未洗上げ未漂白１００％天然未染色綿繊維（ＴＪ  Ｂｅａｌｌ社からＴｒｕｅ  Ｃｏｔｔｏｎ（登録商標）として市販されている）を含む。他の特に好ましい布は、布の全重量に対して７５重量％の未洗上げ未漂白１００％天然未染色綿繊維、２０重量％のビスコースおよび１０重量％の漂白綿である。さらに他の特に好ましい布は、布の全重量に対して７５重量％の未洗上げ未漂白１００％天然未染色綿繊維および２５重量％のビスコースである。
【００５３】
様々な布は、すべて上記で定義された種類の繊維および紡績糸で構成されてもよいが、好ましくは、それらは、天然または合成のいずれかの起源の、ある種類の繊維と他の種類の繊維とのブレンドを含む。同様に、布は、天然または合成のいずれかの、上記で定義された種類の繊維を含む紡績糸と他の繊維から構成される紡績糸との混合物から構成されてもよい。好ましい布は、綿、ナイロン、ポリエステルおよびスパンデックス、または任意の他のエラストマー繊維（たとえばゴムまたはポリウレタン）、の少なくとも１つを含む。特に好ましい布は、綿、ナイロン、ポリエステルおよびスパンデックスのブレンド、たとえば、ナイロン／ライクラ（登録商標）などのナイロン／スパンデックス、ポリエステル、またはポリエステル／スパンデックスを含む。ブレンドは種々のレベルの各成分を有することができる。
【００５４】
本発明の他の実施形態は、本明細書に記載の布を白色化するための方法に関する。方法は、布を提供することと、その布に上記の白色化組成物を塗布することとを含む。方法の一実施形態において、布は、セルロース含有布である。方法は漂白ステップを含まず、白色化組成物は漂白剤および蛍光増白剤を含まない。
【００５５】
白色化組成物は、該技術分野で公知の任意の手段で布に塗布することができる。用途は、限定するものではないが、染浴、吹付、浸漬、浸け置きおよび絵付を含む。一実施形態において、布への水溶液の塗布は、吹付、浸漬、浸け置きおよび絵付のいずれかの組み合わせによることができる。
【００５６】
塗布方法の１つは染浴である。染浴は、布染色技術において公知であり、一定時間にわたって加熱される水「浴」に白色化組成物を添加することを可能にする装置を含む。白色化溶液に加えて、この浴は、布への染料の移行または塗布を補助する塩、担体および他の薬剤などの他の化合物を含むことができる。
【００５７】
一実施形態において、染浴は、たとえば水および白色化組成物および塩（好ましくは硫酸マグネシウム）を含んでもよい。プロセスの速度および容易さのために約１〜約２重量％の塩を用いてもよい。しかしながら、塩および酸は本発明の実施に必要ではない。該技術分野で公知のさらなる添加剤（たとえば様々な乳化剤および界面活性剤）も、染色を改善するために加えてもよい。例示的な実施形態において、染浴中に用いてもよいこのような助剤は、Ｉｎｖａｄｉｎｅ（登録商標）、Ａｌｂａｆｌｏｗ（登録商標）、Ａｌｂａｔｅｘ（登録商標）、Ｉｎｖａｔｅｘ（登録商標）、Ｕｎｉｖａｄｉｎｅ（登録商標）、Ａｌｂｆｌｕｉｄ（登録商標）、およびＵｌｔｒａｐｈｉｌ（登録商標）製品（すべてハンツマン・ケミカル社（Ｈｕｎｔｓｍａｎ  Ｃｈｅｍｉｃａｌ）から入手できる）、（登録商標）Ｒｕｃｏｇｏｌ、（登録商標）Ｒｕｃｏ  Ａｃｉｄ、ハイドロコルシックス（ルドルフグループ社（Ｒｕｄｏｌｆ  Ｇｒｏｕｐ））、酢酸、ヘキサメタリン酸ナトリウム、苛性ソーダおよび様々な消泡剤を含む。染浴の特定の実施形態において、青色染料と紫色染料との総量は、約０．１％〜２０％ＯＷＧ（商品の重量に対して：ｏｎ  ｗｅｉｇｈｔ  ｏｆ  ｇｏｏｄｓ）の量で存在し、より好ましくは、染料は約１％〜１０％ＯＷＧの量で存在する。
【００５８】
染浴は染色助剤も含んでもよい。染色助剤は、布への染料の付着を促進する。染色助剤は、染色を可能にする任意の量で存在してもよい。
【００５９】
染浴は、浴のｐＨを調整するためのｐＨ調整剤も含んでもよい。好ましくは、ｐＨ調整剤は有機酸であり、たとえばクエン酸、ギ酸、酢酸またはそれらの混合物であってもよい。他の調整剤、たとえば他の有機酸または無機酸は、本発明の範囲内である。
【００６０】
染浴のｐＨは任意のｐＨレベルであってもよい。一実施形態において、ｐＨレベルは約５．５〜約７．５であり、好ましくは７．５未満である。特定の実施形態において、ｐＨ５．５〜７．０、より好ましくは６．０〜６．５が望ましいが、他の実施形態においてはｐＨ約６．０が好ましい。しかしながら、特定のｐＨについては、用いられる任意の増粘剤および染料によって、また布の所望の白色度によって異なる。
【００６１】
浴染色において、ステップの順序に実際の制限はない。一実施形態において、布を浴に入れ、この染浴を所望の温度にする。塩と、青色染料および紫色染料を含む白色化組成物とを所望の量この浴に添加し、次いで所望のレベルにｐＨを調整する。次いで、増粘剤および任意の助剤を添加する。浴は約４０℃〜５０℃の温度に加熱してもよく、好ましくは４３〜４９℃に加熱してもよい。他の実施形態において、最初に浴を所望の温度に加熱し、次いで布を浴に添加することが企図される。さらに、ｐＨレベルの調整は、染色プロセスの少し後のステップで行ってもよいことが企図される。ポリマー（たとえば担体ポリマーおよび／または結合ポリマーであり、これはポリウレタンにすることができる）、白色化組成物、染色助剤および塩の添加のバリエーションを含むすべてのそのようなバリエーションは、本発明の範囲内である。
【００６２】
染浴後、塗布された白色化組成物に対し、任意のポリマー担体を硬化し、かつ／または物品を乾燥するために、塗布後に加熱または乾燥を行ってもよい。ブロックポリイソシアナートを含むポリウレタンの群の１つは、乾燥機または、ケンスのような他のシステムを運転するなど、硬化を開始するために、加熱によって活性化されることを必要とする。他の白色化組成物は大気の水分で硬化する。硬化速度は、架橋が増粘および硬化をもたらす前にポリウレタンを操作することができる時間である、ポットライフに関連している。
【００６３】
白色化組成物の布への塗布は、染浴法に限定されるものではない。他の塗布方法は、仕上げ浴中浸漬／パッド；スプレー塗布（対パッド）；フォーム塗布（対パッド）；洗上げ／洗浄または漂白機：浴中（連続またはバッチ）、タンブラー機または柔軟機（連続またはバッチ）、ウエットプリントならびに３ｄおよび昇華プリント法（該技術分野で周知の基本ステップであるデジタルを含む）によって白色化組成物を塗布することを含む。
【００６４】
白色化組成物が塗布された繊維、紡績糸および布は、織り、編み、および他の織物作業を容易にするために、クリンピング、カーリング、撚糸、サイジング、軟化または潤滑化などの通例の仕上げプロセスを受けてもよい。
【００６５】
本発明の組成物および方法の白色化効果は視覚的に観察することができる。代わりに、色測定機器で評価すると、わずかな違いが見いだされる場合がある。色差は、基準に対する試料の色の数値比較と定義することができる。色差は絶対色座標における差を示し、デルタ（Δ）と呼ばれる。これらの式は、不一致を特定し、使用者が、自身の製品の色をより効果的に調整するのに役立つように２つの色の間の差を算出する。
ＣＩＥ  Ｌ＊ａ＊ｂ＊座標を用いる色差の識別
国際照明委員会（ＣＩＥ）の規定により、２つの色は同時に赤色および緑色であることはできず、また同時に黄色および青色であることはできないということを述べた反対色説に倣って、Ｌ＊ａ＊ｂ＊色空間が作られた。次に示すように、Ｌ＊は明度を示し、ａ＊は赤／緑座標であり、ｂ＊は黄／青座標である。Ｌ＊のデルタ（ΔＬ＊）、ａ＊のデルタ（Δａ＊）およびｂ＊のデルタ（Δｂ＊）は正（＋）であっても負（−）であってもよい。しかしながら、合計差であるデルタＥ（ΔΕ＊）は常に正である。
ΔＬ＊（Ｌ＊試料引くＬ＊基準）＝明度および暗度における差（＋＝より明るい、−＝より暗い）
Δａ＊（ａ＊試料引くａ＊基準）＝赤および緑における差（＋＝より赤い、−＝より緑の）
Δｂ＊（ｂ＊試料引くｂ＊基準）＝黄および青における差（＋＝より黄色い、−＝より青い）
ΔΕ＊＝合計色差
全３座標間の合計式差を決定するために、次式が用いられる：
ΔΕ＊＝［ΔＬ＊２＋Δａ＊２＋Δｂ＊２］ｌ／２
ＣＩＥ  Ｌ＊Ｃ＊Ｈ＊座標を用いる色差の識別
Ｌ＊Ｃ＊ｈ色空間は、Ｌ＊ａ＊ｂ＊と同様であるが、直交座標の代わりに円筒座標を用いて色を別なふうに記述する。この色空間において、Ｌ＊は明度を示し、Ｃ＊は彩度を表し、ｈは色相角である、彩度および色相は、Ｌ＊ａ＊ｂ＊におけるａ＊およびｂ＊座標から計算される。明度のデルタ（ΔＬ＊）、彩度のデルタ（ΔＣ＊）、色相のデルタ（ΔＨ＊）は正（＋）であっても負（−）であってもよい。これらは：
ΔＬ＊（Ｌ＊試料引くＬ＊基準）＝明度および暗度における差（＋＝より明るい、−＝より暗い）
ΔＣ＊（Ｃ＊試料引くＣ＊基準）＝彩度における差（＋＝より明るい、−＝よりぼんやりした）
で表される。
【００６６】
比色計および分光光度計などの色測定機器は、人間の目では識別できない差を検出し、次いで即座にこれらの差を数字で表示することができる。Ｌ＊ａ＊ｂ＊値またはＬ＊Ｃ＊ｈ値を用いて色差を識別した後、許容限界を用いて、その試料が許容範囲内であるかどうかを決定するべきである。
【００６７】
ここで、下記の実施例を参照して本発明を説明する。これらの実施例は、本発明の範囲を限定することを意図するものではない。上記の一般的な説明および詳細な説明と併せて、本実施例は、本発明のさらなる理解を提供する。
実施例
実施例１：水溶液での白色化組成物の調製
Ａ．原液の調製
最初に、各染料の原液を製造することによって水溶液での白色化組成物を試験した。紫色染料用に第１原液を製造し（ダイレクトバイオレット９原液）、青色染料用に第２原液を製造した（リアクティブブルー１９原液）。表１に従ってこれらの原液を製造した：
【００６８】
【表１】
2021500482.tif 000002
【００６９】
撹拌によって粉末染料を水に溶解した。
Ｂ．水溶液での白色化組成物を調製するための原液の利用
様々な量の原液を水に加えることによって、以下の白色化組成物を調合した。表２−１および表２−２に従って、１０の白色化組成物の調合を行った。
【００７０】
【表２−１】
2021500482.tif 000003
【００７１】
【表２−２】
2021500482.tif 000004
【００７２】
表３に示すように、２つの布小切れに、１０の白色化組成物のそれぞれを塗布した。直接浸漬塗布プロセスによって、布小切れに白色化組成物を塗布した。具体的には、布を直接、白色化組成物の水溶液中に浸漬した。各小切れを、白色化組成物の水溶液中に約２〜４秒間浸漬した。
【００７３】
【表３】
2021500482.tif 000005
【００７４】
白色化組成物の水溶液中に布小切れを浸漬した後、各布小切れを手作業でしぼり、次いで、オーブンからの温風で乾燥させた。
Ｃ．結果
表４は、各白色化組成物調合物（表２−１および表２−２の調合物１〜１０）を前記の布小切れ（表３の布Ａまたは布Ｂ）に塗布した後の布の目視観察を含む。未処理の布小切れと比較して、白色化組成物で処理した布小切れは、著しく白いものもあり、グレー寄りのものやピンク寄りのものもあるが、並べて見たときに、より「白色」の印象を受ける。
【００７５】
【表４】
2021500482.tif 000006
【００７６】
前述の実施例は、特定の布への白色化組成物の塗布について作成されているが、他の自明な用途もこの開示の範囲内であると考えられるため、本発明はこれに限定されない。
【００７７】
当業者には明らかなように、特許請求される本発明の範囲から逸脱することなく、前述の特定の開示の様々な改変、適応および変更が可能である。本明細書に記載の本発明の様々な特徴および要素は、本発明の範囲から逸脱することなく、記載されるまたは特許請求される具体例とは異なる方法で組み合わされてもよい。言い換えれば、２つの間に明確なまたは固有の不適合が存在するか、またはそれが具体的に除外されていない限り、任意の要素または特徴は、異なる実施形態における任意の他の要素または特徴と組み合わされてもよい。
【００７８】
明細書における「一実施形態」、「ある実施形態」などの言及は、記載された実施形態が、特定の態様、特徴、構造または特性を含んでもよいが、必ずしもすべての実施形態がその態様、特徴、構造または特性を含むとは限らないことを示す。さらに、このような語句は、明細書の他の部分で言及された同じ実施形態を指してもよいが、それに限らない。さらに、ある実施形態に関連して特定の態様、特徴、構造または特性が記載されている場合、明示的に説明されているか否かを問わず、このような態様、特徴、構造または特性が他の実施形態に影響を与えるか、またはこのような態様、特徴、構造または特性を他の実施形態に結びつけることは、当業者の知識の範囲内である。
【００７９】
単数形「ある（ａ）」、「ある（ａｎ）」および「その（ｔｈｅ）」は、文脈により明確に否定されない限り、複数への言及を含む。したがって、たとえば、「ある植物」への言及は、複数のこのような植物を含む。特許請求の範囲は、任意の任意選択の要素を除外して起草されてもよいことにさらに留意されたい。このように、この記述は、請求項の要素の記載に関連する、「単独で」、「のみ」などのような排他的な用語の使用、または「否定的」限定の使用に対する先行詞として役立つものとする。用語「好ましくは」、「好ましい」、「好む」、「任意選択で」、「してもよい」および同様な用語は、言及した項目、条件またはステップが、本発明の任意選択の（必要ではない）特徴であることを示すために用いられる。
【００８０】
用語「および／または」は、この用語が関連する項目のいずれか１つ、その項目の任意の組み合わせ、またはその項目のすべて、を意味する。語句「１以上（１つ以上）」は、特にその使用の文脈で読むとき、当業者に容易に理解される。
【００８１】
本明細書における各数値または測定値は、用語「約」で修飾されている。用語「約」は、特定の値の±５％、±１０％、±２０％または±２５％の変動を指すことができる。たとえば、「約５０」パーセントは、いくつかの実施形態において、４５〜５５パーセントの変動を伴うことができる。整数の範囲については、用語「約」は、その範囲の各末端における記載された整数よりも大きいおよび／または小さい、１つまたは２つの整数を含むことができる。ここで特に断らない限り、用語「約」は、組成物の機能性または実施形態に関して等価である、記載された範囲に隣接する値または範囲を含むものとする。
【００８２】
当業者には理解されるように、試薬または成分の量、分子量などの特性、反応条件などを表すものを含むすべての数は概数であり、任意選択ですべての例において用語「約」で修飾されていると理解される。これらの値は、本明細書に記載の教示を利用して当業者が得ようと求める所望の特性に基づいて変わる可能性がある。このような値が、それぞれの試験測定において見いだされる標準偏差に必ずしも由来しない変動を本質的に含むことも理解される。
【００８３】
当業者には理解されるように、あらゆる目的のために、特に記述の提供に関して、本明細書に記載されたすべての範囲は、範囲を構成している個々の値、特に整数値はもちろん、あらゆるすべての可能な部分範囲およびその部分範囲の組み合わせも含む。記載された範囲（たとえば重量パーセントまたは炭素基）は、その範囲内のそれぞれの特定の値、整数、小数、または一致を含む。任意の記載された範囲は、その範囲が、少なくとも等しい半分、３分の１、４分の１、５分の１または１０分の１に分割されることが十分に記載され、可能であると容易に認識されることができる。非限定的な例として、本明細書で論じる各範囲は、下部３分の１、中部３分の１および上部３分の１に容易に分割することができる。
【００８４】
同じく当業者には理解されるように、「まで」、「少なくとも」、「を超える」、「未満」、「より大きい」、「以上」などのすべての言葉は、記載された数を含み、また、このような用語は、上記のように、続いて部分範囲に分割することができる範囲を指す。同様に、本明細書に記載のすべての比は、より広い比に含まれるすべての部分比を含む。よって、ラジカル、置換基および範囲について記載された特定の値は例示のみを目的としており、それらは、ラジカルおよび置換基について定義された範囲内の他の定義値または他の値を排除しない。
【００８５】
マーカッシュ群のように、メンバーが同様な方法でグループにまとめられる場合、本発明は、全体としてリストされたグループ全体だけでなく、グループの個別の各メンバーおよび主グループのすべての可能なサブグループも含むことも、当業者には明らかであろう。さらに、すべての目的のために、本発明は、主グループだけでなく、グループメンバーの１以上を欠く主グループも含む。したがって、本発明は、記載されたグループのいずれか１つ以上の明確な除外を考える。よって、開示されたカテゴリーまたは実施形態のいずれかに但書を適用してもよく、それによって、たとえば明確な否定的限定で使用された場合、記載された要素、種または実施形態のいずれかが、このようなカテゴリーまたは実施形態から除外されてもよい。
【国際調査報告】
2021500482.tif 000007
2021500482.tif 000008